(57)【特許請求の範囲】
【請求項１】
鉄筋籠の外側面に取付けられるスペーサであり、鉄筋籠の主筋軸方向に沿い鉄筋籠の外側に向かって突出する凸部の主筋軸方向の一端部に、鉄筋籠のフープ筋に主筋位置において取付けられる係止部が設けられ、前記凸部の主筋軸方向の他端部に、主筋に主筋直角方向から嵌合する嵌合溝を有する嵌合部が設けられ、前記凸部の係止部側の部分と嵌合部側の部分が主筋軸方向に沿う連結部材または斜めの連結部材により連結されていることを特徴とする鉄筋籠のスペーサ。
【請求項２】
請求項１に記載の鉄筋籠のスペーサにおいて、係止部は、主筋を挟むようにフープ筋に引っ掛けられる左右一対のフック片を有していることを特徴とする鉄筋籠のスペーサ。
【請求項３】
請求項１に記載の鉄筋籠のスペーサにおいて、嵌合部は、主筋を挟む左右一対の嵌合片を有していることを特徴とする鉄筋籠のスペーサ。
【発明の詳細な説明】
【０００１】
【発明の属する技術分野】
本発明は、場所打ち杭工事などに使用される鉄筋籠のスペーサに関するものである。
【０００２】
【従来の技術】
場所打ち杭の例えばアースドリル工法においては、設計杭径よりも大径の表層ケーシングを建込んだ後、支持層まで掘削し、掘削完了後に鉄筋籠を建込んでいる。この鉄筋籠の外側面には、主筋のコンクリートかぶり厚さ（例えば１０〜１５ｃｍ程度）を確保するために、スペーサが設けられている。
【０００３】
図３は、従来のスペーサ５０の一例であり、直線状の板材を成形加工して、中間部に鉄筋籠の外側に向かって突出する側面視が略コ字状や円弧状の凸部５１を形成し、上下の端部に一体的な平板部５２を形成したものであり、上下の平板部５２を鉄筋籠１の主筋２に溶接５３で固定している。
【０００４】
このスペーサ５０は、鉄筋籠１の円周方向に間隔をおいて複数配設され、鉄筋籠１の軸方向には例えば３ｍピッチで配設され、鉄筋籠の挿入の際には、掘削孔の断面中央に鉄筋籠をセットさせる機能も有している。
【０００５】
【発明が解決しようとする課題】
近年、鉄筋籠の組立てにおいては、溶接欠陥等による強度低下の恐れのある溶接をなくすことが要望されており、スペーサにおいても主筋やフープ筋への溶接による取付けを避ける必要がある。前述の図３の従来のスペーサ５０では、主筋２に溶接５３で固定しているため、主筋やフープ筋への溶接による取付けのないスペーサが要望されていた。
【０００６】
図４は、その一例であり、このスペーサ６０は、図５と同様の側面視が略コ字状や円弧状の凸部６１の上端部に、フープ筋３に上から引っ掛けて取付けるフック部６２を一体的に設け、凸部６１の下端部の平板部６３を補強リング（フラットバー）４の外面に溶接６４で固定している。
【０００７】
このスペーサ６０の場合、補強リング４は強度部材ではないため、溶接しても問題はないものの、▲１▼  補強リング４のある所しか取付けることができず、任意の位置にスペーサを配置できない、▲２▼  溶接作業があるため取付けに時間とコストがかかる、▲３▼  フープ筋３と補強リング４に取付けるため、大きな力を受けた場合、変位する恐れがある、などの問題点がある。
【０００８】
本発明は、前述のような従来の問題点を解消すべくなされたもので、その目的は、鉄筋籠への溶接取付けを完全に無くすことができる共に、鉄筋籠のどの場所にも簡単に取付けることができ、さらに、スペーサ凸部の変形を確実に防止することができる鉄筋籠のスペーサを提供することにある。
【０００９】
【課題を解決するための手段】
本発明の請求項１は、鉄筋籠の外側面に取付けられるスペーサであり、鉄筋籠の主筋軸方向に沿い鉄筋籠の外側に向かって突出する凸部の主筋軸方向の一端部に、鉄筋籠のフープ筋に主筋位置において取付けられる係止部が設けられ、前記凸部の主筋軸方向の他端部に、主筋に主筋直角方向から嵌合する嵌合溝を有する嵌合部が設けられ、前記凸部の係止部側の部分と嵌合部側の部分が主筋軸方向に沿う連結部材または斜めの連結部材により連結されていることを特徴とする鉄筋籠のスペーサである（図１，図２参照）。
【００１０】
この請求項１において、スペーサの材質には硬質プラスチックや金属などを用いることができる。連結部材は、板状や棒状などとし、例えば、主筋の軸方向に沿う連結部材の両端部をそれぞれ凸部と係止部の接合部分及び凸部と嵌合部の接合部分に一体的に接続する（図２（ａ）  参照）。連結位置は、これに限らず、凸部の両端の部分であればよく、凸部の端部とコーナー部を斜めの連結部材で連結（斜めに１本あるいは斜めに２本の×字形）してもよいし、凸部の上下の辺部の中間同士を主筋の軸方向に沿う連結部材で連結してもよい。また、凸部の両側面に連結部材を設け、左右一対の連結部材で連結するのが好ましい。
【００１１】
本発明の請求項２は、請求項１に記載の鉄筋籠のスペーサにおいて、係止部は、主筋を挟むようにフープ筋に引っ掛けられる左右一対のフック片を有していることを特徴とする鉄筋籠のスペーサである（図１，図２参照）。
【００１２】
即ち、係止部は主筋位置でフープ筋に係止めできる形状であればよいが、左右一対のフック片を用いるのが好ましい。フック片は、図２（ａ）  に示すように、鉄筋籠の内側から引っ掛ける形状が好ましいが、外側から引っ掛ける構造でもよい。
【００１３】
本発明の請求項３は、請求項１に記載の鉄筋籠のスペーサにおいて、嵌合部は、主筋を挟む左右一対の嵌合片を有していることを特徴とする鉄筋籠のスペーサである（図１，図２参照）。
【００１４】
即ち、左右一対の嵌合片で嵌合溝を形成し、主筋直角方向から嵌合部を主筋に押し込み、左右一対の嵌合片で挟んで嵌着させる。嵌合片は、板状のものなどでもよいが、図２に示すように、断面が円弧状で主筋軸方向に長い嵌合片で筒状の嵌合部とするのが好ましい。
【００１５】
なお、スペーサは、係止部を上にし、嵌合部を下にして、鉄筋籠に取付けてもよいし、これとは逆に、係止部を下にし、嵌合部を上にして、取付けるようにしてもよい。
【００１６】
以上のような構成のスペーサを建て込む前の鉄筋籠の外側面に主筋に沿って取付ける。取付けに際しては、係止部の一対のフック片等を主筋を挟むようにフープ筋に引っ掛けて、スペーサの一端部を主筋位置でフープ筋に係止し、嵌合部を主筋に対して押し込むことで嵌合溝を主筋に嵌着し、スペーサの他端部を主筋に固定する。
【００１７】
鉄筋籠への溶接取付けを完全に無くすことができ、溶接欠陥等による強度低下を解消することができる。また、スペーサの端部を押し込むだけで、固定することができるため、スペーサを容易に短時間に取付けることができる。また、鉄筋籠に多数配置されている主筋とフープ筋の交差部に取付けるため、スペーサを任意の箇所に取付けることができる。さらに、主筋の位置に取り付けるため、スペーサを強固に取付けることができる。また、凸部の両端部を連結する連結部材により、凸部の剛性が増し、凸部が外力を受けて変形することがない。
【００１８】
【発明の実施の形態】
以下、本発明を図示する一実施形態に基づいて説明する。この実施形態は、表層ケーシングを用いるアースドリル工法等による場所打ち杭の鉄筋籠に本発明を適用した例である。図１、図２は、本発明の鉄筋籠のスペーサをブラスチックで構成した場合の一例を示したものである。
【００１９】
図１に示すように、場所打ち杭に使用される鉄筋籠１は、円周方向に間隔をおいて平行に配設された多数本の主筋２と、この主筋２の外側に軸方向に所定のピッチで配設されたフープ筋３と、主筋２の内側にフープ筋３の取付ピッチよりも大きいピッチで配設された補強リング４（図４参照）から構成され、無溶接の場合には、主筋２とフープ筋３を結束線や結束金具などで固定し、主筋２と補強リング４が抱持金具などで固定される。
【００２０】
このような鉄筋籠１の外側面に取付けられるスペーサ１０を、図１、図２に示すように、主筋軸方向に沿い主筋直角方向の外側に向かって突出する略コ字状や円弧状の凸部１１と、この凸部１１の上部に一体的に設けられ、フープ筋３に主筋位置において主筋軸方向の下方から取付けられる係止部１２と、凸部１１の下部に一体的に設けられ主筋２に主筋直角方向から嵌合する嵌合溝１３を有する嵌合部１４と、係止部１２と嵌合部１４とを連結する連結部材１５から構成し、係止部１２と嵌合部１４により主筋２に沿って簡単に固定できるようにし、さらに、連結部材１５により凸部１１が外力で変形しないようにする。
【００２１】
係止部１２は、凸部１１の上端部から一体的に主筋２とほぼ平行に上に向かって突出する平板部１２ａと、この平板部１２ａから左右一対で一体的に突出し、外側（反主筋側）に向かって湾曲させた側面視が円形のフック片１２ｂ，１２ｂからなる。
【００２２】
このフック片１２ｂ，１２ｂは、その対向間隔を主筋２の径より若干大きく形成し、フープ筋３の下から内側上方に挿入することで、主筋２を挟んでフープ筋３に引っ掛けることができる。引っ掛けた状態で平板部１２ａの内面中央部が主筋２に当るため、外力で内側に移動することが阻止される。フック片１２ｂの側面視形状は、フープ筋３の外径とほぼ等しい内径で中心角が１８０  °以上の円弧であり、フープ筋３に嵌着し、上に外れないようにしている。また、フック片１２ｂの先端には、折り返し片１２ｃを設け、フープ筋３に容易に嵌着できるようにしている。
【００２３】
嵌合部１４は、凸部１１の下端部から一体的に主筋２とほぼ平行に下に向かって突出する平板部１４ａと、この平板部１４ａの内側（主筋側）に一体的に設けられ、主筋２を挟んで左右一対の嵌合片１４ｂ，１４ｂからなり、この左右一対の嵌合片１４ｂ，１４ｂにより嵌合溝１３が形成される。
【００２４】
嵌合片１４ｂは、主筋２の軸方向に長い部材であり、平面視形状は、一対で円形の嵌合溝１３を形成すべく主筋２の外径とほぼ等しい内径の円弧であり、筒状の一対の嵌合片１４ｂ，１４ｂにより挟まれた状態で主筋２に嵌着され、外力で外れないようにしている。なお、主筋２は通常凹凸の付いた異形棒鋼であり、嵌合片１４ｂの内面における先端部側（鉄筋籠側）には、主筋２の軸方向に沿う係止め凸条１４ｃを形成し、主筋２から外れないようにしている。また、嵌合片１４ｂの先端部には、折り返し片１４ｄを設け、主筋２に容易に嵌着できるようにしている。
【００２５】
連結部材１５は、主軸２と平行で凸部１１の凹凸方向に幅のある板状の部材であり、その上下端部がそれぞれ、凸部１１と係止部１２の接続角部、凸部１１と嵌合部１４の接続角部に一体的に取付けられ、また、凸部１１の左右両側面にそれぞれ配設される。従って、凸部１１の上部と下部が左右一対の連結部材１５により連結補強されることで、凸部１１が係止部１２と嵌合部１４が離れる方向に変形するのを防止することができる。
【００２６】
本実施形態のスペーサ１０は、硬質プラスチック製であり、凸部１１，係止部１２，嵌合部１４，連結部材１５が一体成形される。なお、プラスチック製であるため、凹部１１の両側面には補強リブ１１ａが設けられ、さらに内面（主筋側の面）には、縦横の補強リブ（図示省略）が設けられる。
【００２７】
以上のような構成のスペーサ１０を、組み立てられた鉄筋籠１の外側面に取り付けていく。鉄筋籠１の円周方向には、適当な間隔をおいた複数の主筋２の位置に配置し、鉄筋籠１の長手方向には、適当な間隔をおいた複数のフープ筋３の位置に配置する。取付けに際しては、フック片１２ｂ，１２ｂを主筋２を挟むようにフープ筋３に引っ掛け、左右一対の嵌合片１４ｂ，１４ｂを主筋２に押し込むだけで、スペーサ１０を主筋２に簡単に固定することができる。
【００２８】
掘削完了後に、このような鉄筋籠１をケーシング内、次いで掘削孔内に挿入する。スペーサ１０の凸部１１の円滑なガイド作用により鉄筋籠１が掘削孔Ａの中心にセットされる。また、コンクリートの打設後にケーシングを引抜く際、スペーサ１０の凸部１１の位置決め作用により、鉄筋籠１の偏りが防止される。凸部１１は、左右一対の連結部材１５，１５で補強されているため、変形することがなく、スペーサの機能を確実に果たすことができる。
【００２９】
なお、本実施形態では、プラスチック製のスペーサについて例示したが、これに限らず、金属製でもよい。係止部１２は、内側から引っ掛ける形状のフック片を例示しているが、これに限らず、外側から引っ掛ける形状のフック片でもよく、さらに、フック片に限らず、フープ筋３の下から内側に差し込む差し込み片方式等でもよい。嵌合部１４は、一対の嵌合片１４ｂ，１４ｂからなる筒状のものを例示しているが、これに限らず、板状のもの等でもよい。
【００３０】
また、連結部材１５は、図２の二点鎖線で示すように、凸部１１の上下の斜辺部分であればよく、凸部１１の端部とコーナー部を斜めの連結部材１５で連結（斜めに１本あるいは斜めに２本の×字形）してもよいし、凸部１１の上下の斜辺部の中間同士を主筋の軸方向に沿う連結部材１５で連結してもよい。
【００３１】
また、図示例では、係止部１２を上にして取付けているが、これに限らず、係止部１２を下にして取付けるようにしてもよい。
【００３２】
なお、以上は、場所打ち杭工法の鉄筋籠に適用した例について説明したが、これに限らず、地中連続壁やその他の鉄筋籠にも本発明のスペーサを適用することができる。
【００３３】
【発明の効果】
（１）  スペーサの凸部の一端部に係止部を設け、他端部に嵌合部を設け、係止部をフープ筋に主筋位置で取付け、嵌合部を主筋に対して押し込むことで主筋に嵌着するようにしたため、鉄筋籠への溶接取付けを完全に無くすことができ、溶接欠陥等による強度低下を解消することができ、強度低下のない健全な場所打ち杭を造成することができる。
【００３４】
（２）  時間とコストのかかる溶接作業を無くすことができるため、また、スペーサの端部を押し込むだけで、固定することができるため、スペーサを容易に短時間に取付けることができ、コストの低減を図ることができる。
【００３５】
（３）  鉄筋籠に多数配置されている主筋とフープ筋の交差部に取付けるため、スペーサを任意の場所に取付けることができる。
【００３６】
（４）  主筋の位置に取り付けるため、スペーサを強固に取付けることができ、大きな力を受けても、スペーサが変位する恐れがなく、スペーサとしての所期の目的を達成できる。
【００３７】
（５）  凸部の両端部を連結する連結部材により、凸部の剛性が増加し、凸部が外力を受けて変形することがなく、スペーサの機能を確実に果たすことができる。
【図面の簡単な説明】
【図１】本発明の鉄筋籠のスペーサの一実施形態を示す斜視図である。
【図２】図１のスペーサであり、（ａ）  は側面図、（ｂ）  は背面図、（ｃ）  はｃ−ｃ断面図である。
【図３】従来の鉄筋籠のスペーサを示す側面図である。
【図４】従来の鉄筋籠の他のスペーサを示す斜視図である。
【符号の説明】
Ａ…掘削孔
１…鉄筋籠
２…主筋
３…フープ筋
４…補強リング
１０…スペーサ
１１…凸部
１２…係止部
１２ａ…平板部
１２ｂ…フック片
１２ｃ…折り返し片
１３…嵌合溝
１４…嵌合部
１４ａ…平板部
１４ｂ…嵌合片
１４ｃ…凸条
１４ｄ…折り返し片
１５…連結部材
【図１】
0003559022.tif 000002
【図２】
0003559022.tif 000003
【図３】
0003559022.tif 000004
【図４】
0003559022.tif 000005